(57)【特許請求の範囲】
【請求項１】
２重壁の偏平なブロー成形体に１列又は複数列の補強用のリブが形成され、そのリブは列の長さ方向に交互に配置されかつ長さ方向に連続した第１リブと第２リブからなり、前記第１リブは、２重壁の一方の壁から連続して他方の壁に向けて延びる両側面部と狭くなった頂面部で構成された断面略台形状をなす部分であり、その頂面部が他方の壁の内側に溶着し、前記第２リブは、２重壁の一方の壁から連続して他方の壁に向けて延び、その頂部を含む全部又は大部分が互いに溶着して板状をなす部分であり、その頂部は他方の壁との間に隙間を有することを特徴とするブロー成形体。
【請求項２】
２重壁の偏平なブロー成形体に１列又は複数列の補強用のリブが形成され、そのリブは列の長さ方向に交互に配置されかつ長さ方向に連続した第１リブと第２リブからなり、前記第１リブは、２重壁の一方の壁及び他方の壁から連続して対向する壁に向けて延びる両側面部と狭くなった頂面部で構成された一対の断面略台形状をなす部分であり、それぞれの対向する頂面部が２重壁の中間位置で互いに溶着し、前記第２リブは、２重壁の一方の壁及び他方の壁から連続して対向する壁に向けて延び、それぞれの対向する頂部を含む全部又は大部分が互いに溶着して板状をなす部分であり、対向する頂部は間に隙間を有することを特徴とするブロー成形体。
【発明の詳細な説明】
【０００１】
【発明の属する技術分野】
本発明は、補強用のリブが形成された２重壁の偏平なブロー成形体に関する。
【０００２】
【従来の技術】
２重壁の偏平なブロー成形体を強化するため両壁をつなぐリブが形成されるが、この種のリブとしては、図７に示すように、２重壁の一方の壁１から連続して他方の壁２に向けて延びる両側面部３ａと狭くなった頂面部３ｂで構成された断面略台形状をなすリブ３、図８に示すように、２重壁の一方の壁１から連続して他方の壁２に向けて延び全体が互いに溶着して板状となったリブ４が知られている。リブ３の頂面部３ｂはブロー成形時に壁２の内面に溶着し（図９（ａ）参照）、リブ４の頂部は同じく壁２の内面に溶着し（図１０（ａ）参照）、２重壁を列状に連結して補強している。
【０００３】
【発明が解決しようとする課題】
しかし、断面台形状をなすリブ３は、ブロー成形体をリブ３の長さ方向に対し垂直に曲げるようにかかる荷重には強いが、ブロー成形体をリブ３の長さ方向に沿って曲げるようにかかる荷重に対しては、リブがない場合よりかえって剛性が弱く、図９（ｂ）に示すように、開口側が広がり（荷重の向きが反対になれば逆に狭まる）、ブロー成形体全体が曲がりやすい。また、板状のリブ４は、ブロー成形体の壁面に対し垂直にかかる荷重に対しては強いが、図１０（ｂ）に示すように、横方向に斜めにかかる荷重（剪断荷重）に対しては剛性が弱く、座屈が起こりやすい。
【０００４】
本発明は、２重壁の偏平なブロー成形体に１列又は複数列の補強用のリブを形成する場合において、従来の断面台形状のリブ又は板状のリブを形成した場合の問題点のないブロー成形体を得ることを目的とする。
【０００５】
【課題を解決するための手段】
本発明に係るブロー成形体は２重壁の偏平なブロー成形体であり、２重壁の間に１列又は複数列の補強用のリブが形成され、そのリブは列の長さ方向に交互に配置されかつ長さ方向に連続した第１リブと第２リブからなり、前記第１リブは、２重壁の一方の壁から連続して他方の壁に向けて延びる両側面部と狭くなった頂面部で構成された断面略台形状をなす部分であり、その頂面部が他方の壁の内側に溶着し、前記第２リブは、２重壁の一方の壁から連続して他方の壁に向けて延び、その頂部を含む全部又は大部分が互いに溶着して板状をなす部分であり、その頂部は他方の壁との間に隙間を有することを特徴とする。なお、断面略台形状とは、列の長さ方向に垂直な断面でみたときの形状を表す。
【０００６】
あるいは、同じく２重壁の間に１列又は複数列の補強用のリブが形成され、そのリブは列の長さ方向に交互に配置されかつ長さ方向に連続した第１リブと第２リブからなり、前記第１リブは、２重壁の一方の壁及び他方の壁から連続して対向する壁に向けて延びる両側面部と狭くなった頂面部で構成された一対の断面略台形状をなす部分であり、それぞれの対向する頂面部が２重壁の中間位置で互いに溶着し、前記第２リブは、２重壁の一方の壁及び他方の壁から連続して対向する壁に向けて延び、それぞれの対向する頂部を含む全部又は大部分が互いに溶着して板状をなす部分であり、対向する頂部は間に隙間を有することを特徴とする。
【０００７】
【発明の実施の形態】
以下、図１〜図６を参照し、本発明に係るブロー成形体について具体的に説明する。
図１に示すブロー成形体１０には、２重壁（壁１１、壁１２）の間に補強用のリブ１３が平行に３列形成されている。リブ１３は第１リブ１４と第２リブ１５からなり、第１リブ１４と第２リブ１５は長さ方向に交互に配置され、かつ遷移部１６を介して長さ方向に連続して一体的に連なっている。また、隣接する列でみると、第１リブ１４と第２リブ１５は長さ方向に位置がずれており、いわゆる千鳥配置とされている。
【０００８】
第１リブ１４は、図２（ａ）に示すように、壁１１から連続して壁１２に向けて延びる両側面部１４ａと、開口側（一方の壁１１側）より狭くなった頂面部１４ｂで構成された断面略台形状をなす部分であり、その頂面部１４ｂが壁１２の内側に溶着している。また、第２リブ１５は、図２（ｂ）に示すように、壁１１から連続して壁１２に向けて延び、その頂部１５ａを含む大部分が互いに溶着して板状をなし、その板状の部分１５ｂが底部の低い断面略台形の部分１５ｃに乗った形態をなす。頂部１５ａは壁１２との間に隙間１７を有する。
【０００９】
２重壁の間にリブ１３（第１リブ１４、第２リブ１５）を形成するための金型１８（壁１１の側のキャビティを構成する金型）の一部が、図３に記載されている。この金型１８のキャビティ面には、３列の断面略台形の突起１９が形成され、その突起１９は、長さ方向に沿って交互に連続して配置された高い突起１９ａと低い突起１９ｂからなる。前記第１リブ１４は高い突起１９ａの部分で形成され、第２リブ１５は低い突起１９ｂの部分で形成される。低い突起１９ｂの部分では、パリソンは両側の高い突起１９ａ間に張設された形になり、大部分が低い突起１９ｂに密着し切れないまま折り返され、それがエア圧により圧着して図１に示すように板状の部分１５ｂが形成される。
なお、この金型１８において、低い突起１９ｂの高さをゼロ（壁１１を形成するキャビティ面と同じ高さ）にすることもできる。この場合、第２のリブ１５に、板状の部分１５ｂが乗る断面略台形の部分１５ｃが形成されず、板状の部分１５ｂのみとなる。また、この金型１８において、突起１９に段差を付けない（長さ方向に沿って同じ高さとする）場合は、図７に示すブロー成形体が形成される。
【００１０】
図４に示すブロー成形体２０には、２重壁（壁２１、壁２２）の間に同じく補強用のリブ２３が平行に３列形成されている。また、リブ２３は第１リブ２４と第２リブ２５からなり、第１リブ２４と第２リブ２５は長さ方向に交互に配置され、かつ長さ方向に連続して連なっている。ブロー成形体１０との違いは、３列の中央のリブが壁２１から壁２２に向かって延び、かつ３列の両側のリブが壁２２から壁２１に向かって延びている点のみである。
【００１１】
図５に示すブロー成形体３０には、２重壁（壁３１、壁３２）の間に補強用のリブ３３が平行に２列形成されている。リブ３３は第１リブ３４と第２リブ３５からなり、第１リブ３４と第２リブ３５は長さ方向に交互に配置され、かつ遷移部３６を介して長さ方向に連続して連なっている。
第１リブ３４は、図６（ａ）に示すように、壁３１及び壁３２から連続して対向する壁に向けて延びる両側面部３４ａと、狭くなった頂面部３４ｂで構成された一対の断面略台形状をなす部分であり、それぞれの対向する頂面部３４ｂ、３４ｂが２重壁の中間位置で互いに溶着している。また、第２リブ３５は、図６（ｂ）に示すように、壁３１及び壁３２から連続して対向する壁に向けて延び、それぞれの対向する頂部３５ａ、３５ａを含む大部分が互いに溶着して板状をなし、その板状の部分３５ｂがそれぞれ底部の低い断面略台形の部分３５ｃに乗った形態をなす。対向する頂部３５ａ、３５ａは間に隙間３７を有する。
【００１２】
【発明の効果】
本発明に係るブロー成形体では、１列又は複数列に補強用リブが形成され、そのリブが前記の形態の第１リブと第２リブから構成されるので、第１リブの開口側を広げたり狭めたりする方向の曲げ荷重に対しては第２リブが大きい抵抗を与え、横方向に斜めにかかる荷重（剪断荷重）に対しては第１リブが大きい抵抗を与える。従って、曲げ荷重に対する抵抗力（曲げ剛性）はどの方向にも強く、剪断荷重に対する抵抗力（剪断剛性）及び圧縮荷重に対する抵抗力（圧縮剛性）も強く、座屈が起こりにくくなっている。そのため、本発明に係るブロー成形体１０は、一般的にいって、図７のタイプのブロー成形体と比べて３０〜４０％程度、図８のタイプのブロー成形体と比べて２０〜３０％の軽量化が可能となる。従って、例えば自動車用スポイラー、ＯＡ用フロアボード、自動車の床材、パレット等として好適である。
【図面の簡単な説明】
【図１】本発明に係るブロー成形体の斜視図である。
【図２】そのリブの長さ方向に垂直な面での第１リブの断面図（ａ）及び第２リブの断面図（ｂ）である。
【図３】その製造用金型（片側）の一部斜視図である。
【図４】本発明に係る別のブロー成形体の斜視図である。
【図５】本発明に係るさらに別のブロー成形体の斜視図である。
【図６】そのリブの長さ方向に垂直な面での第１リブの断面図（ａ）及び第２リブの断面図（ｂ）である。
【図７】従来のブロー成形体の斜視図である。
【図８】従来の別のブロー成形体の斜視図である。
【図９】従来のブロー成形体のリブの断面形状（ａ）及びその問題点を説明する断面図（ｂ）である。
【図１０】従来の別のブロー成形体のリブの断面形状（ａ）及びその問題点を説明する断面図（ｂ）である。
【符号の説明】
１０、２０、３０  ブロー成形体
１１、１２、２１、２２、３１、３２  壁
１３、２３、３３  補強用リブ
１４、２４、３４  第１リブ
１４ａ、３４ａ  第１リブの側面部
１４ｂ、３４ｂ  第２リブの頂面部
１５、２５、３５  第２リブ
１５ａ、３５ａ  第２リブの頂部
１５ｂ、３５ｂ  第２リブの板状部
１５ｃ、３５ｃ  第２リブの断面台形部
１６、３６  遷移部
１７、３７  隙間
【図１】
0003590791.tif 000002
【図２】
0003590791.tif 000003
【図３】
0003590791.tif 000004
【図４】
0003590791.tif 000005
【図５】
0003590791.tif 000006
【図６】
0003590791.tif 000007
【図７】
0003590791.tif 000008
【図８】
0003590791.tif 000009
【図９】
0003590791.tif 000010
【図１０】
0003590791.tif 000011